(57)【要約】【課題】低コストかつセキュアに、位置に限定したサービスを提供する。【解決手段】携帯端末装置は、無線通信が可能な範囲に存在するAPをスキャンし、スキャンにより検出されたAPのAPリストを生成し、生成されたAPリストを、管理サーバに送信する。管理サーバは、２以上の携帯端末装置それぞれから送信されてくる、APリストを受信し、受信された２以上の携帯端末装置からのAPリストを比較し、その比較結果に基づいて、携帯端末装置の接続先に関する接続先関連情報を生成し、生成された接続先関連情報を、携帯端末装置に送信する。携帯端末装置は、管理サーバから送信されてくる接続先関連情報を受信する。本技術は、端末を認証し、その端末の位置に限定したサービスを提供するWebサイト提供システムに適用することができる。【選択図】図１
2012209898.tif 000002
【特許請求の範囲】
【請求項１】
無線通信が可能な範囲に存在する無線通信装置をスキャンするスキャン処理部と、
前記スキャン処理部のスキャンにより検出された前記無線通信装置のリストを生成するリスト生成部と、
前記リスト生成部によって生成された前記リストを、情報処理装置に送信する送信部と、
前記リストと他の端末装置からの前記リストとの比較結果に基づいて前記情報処理装置から送信されてくる、接続先に関する接続先関連情報を受信する受信部と
を備える端末装置。
【請求項２】
前記受信部は、前記情報処理装置から送信されてくる、所定の条件での前記無線通信装置のスキャンの要求を受信し、
前記スキャン処理部は、前記受信部によって受信された前記要求に基づいて、前記所定の条件で前記無線通信装置をスキャンする
請求項１に記載の端末装置。
【請求項３】
前記受信部は、前記情報処理装置から送信されてくる、所定の通信チャネルでの前記無線通信装置のスキャンの要求を受信し、
前記スキャン処理部は、前記受信部によって受信された前記要求に基づいて、前記所定の通信チャネルで前記無線通信装置をスキャンする
請求項２に記載の端末装置。
【請求項４】
前記受信部は、前記情報処理装置から送信されてくる、所定の通信モードでの前記無線通信装置のスキャンの要求を受信し、
前記スキャン処理部は、前記受信部によって受信された前記要求に基づいて、前記所定の通信モードで前記無線通信装置をスキャンする
請求項２に記載の端末装置。
【請求項５】
無線通信が可能な範囲に存在する無線通信装置をスキャンするスキャンステップと、
前記スキャンステップのスキャンにより検出された前記無線通信装置のリストを生成するリスト生成ステップと、
前記リスト生成ステップの処理によって生成された前記リストを、情報処理装置に送信する送信ステップと、
前記リストと他の端末装置からの前記リストとの比較結果に基づいて前記情報処理装置から送信されてくる、接続先に関する接続先関連情報を受信する受信ステップと
を含む通信方法。
【請求項６】
無線通信が可能な範囲に存在する無線通信装置をスキャンするスキャンステップと、
前記スキャンステップのスキャンにより検出された前記無線通信装置のリストを生成するリスト生成ステップと、
前記リスト生成ステップの処理によって生成された前記リストを、情報処理装置に送信する送信ステップと、
前記リストと他の端末装置からの前記リストとの比較結果に基づいて前記情報処理装置から送信されてくる、接続先に関する接続先関連情報を受信する受信ステップと
を含む処理をコンピュータに実行させるプログラム。
【請求項７】
無線通信装置と無線通信を行う２以上の端末装置それぞれから送信されてくる、無線通信が可能な範囲に存在する前記無線通信装置のスキャンにより検出された前記無線通信装置のリストを受信する受信部と、
前記受信部によって受信された２以上の前記端末装置からの前記リストを比較するリスト比較部と、
前記リスト比較部の比較結果に基づいて、前記端末装置の接続先に関する接続先関連情報を生成する接続先関連情報生成部と、
前記接続先関連情報生成部によって生成された前記接続先関連情報を、前記端末装置に送信する送信部と
を備える情報処理装置。
【請求項８】
前記リスト比較部は、２以上の前記端末装置からの前記リストそれぞれにおいて一致する前記無線通信装置の数を比較し、
前記接続先関連情報生成部は、前記リストそれぞれにおいて一致する前記無線通信装置の数が所定数より多い場合に、前記接続先関連情報を生成する
請求項７に記載の情報処理装置。
【請求項９】
前記送信部は、前記リストそれぞれにおいて一致する前記無線通信装置の数が所定数より少ない場合、所定の条件での前記無線通信装置のスキャンの要求を、前記端末装置に送信する
請求項８に記載の情報処理装置。
【請求項１０】
前記送信部は、前記リストそれぞれにおいて一致する前記無線通信装置の数が所定数より少ない場合、一致しない前記無線通信装置と前記端末装置との無線通信において、所定の値より高い電波強度の無線通信の通信チャネルでのスキャンの要求を、前記端末装置に送信する
請求項９に記載の情報処理装置。
【請求項１１】
前記送信部は、前記リストそれぞれにおいて一致する前記無線通信装置の数が所定数より少ない場合、一致しない前記無線通信装置と前記端末装置との無線通信において、所定の値より高い電波強度の無線通信の通信モードでのスキャンの要求を、前記端末装置に送信する
請求項９に記載の情報処理装置。
【請求項１２】
前記接続先関連情報生成部は、前記リスト比較部の比較結果に基づいて、前記端末装置についての認証を行い、前記接続先関連情報を生成する
請求項７に記載の情報処理装置。
【請求項１３】
無線通信装置と無線通信を行う２以上の端末装置それぞれから送信されてくる、無線通信が可能な範囲に存在する前記無線通信装置のスキャンにより検出された前記無線通信装置のリストを受信する受信ステップと、
前記受信ステップの処理によって受信された２以上の前記端末装置からの前記リストを比較するリスト比較ステップと、
前記リスト比較ステップの処理による比較結果に基づいて、前記端末装置の接続先に関する接続先関連情報を生成する接続先関連情報生成ステップと、
前記接続先関連情報生成ステップの処理によって生成された前記接続先関連情報を、前記端末装置に送信する送信ステップと
を含む情報処理方法。
【請求項１４】
無線通信装置と無線通信を行う２以上の端末装置それぞれから送信されてくる、無線通信が可能な範囲に存在する前記無線通信装置のスキャンにより検出された前記無線通信装置のリストを受信する受信ステップと、
前記受信ステップの処理によって受信された２以上の前記端末装置からの前記リストを比較するリスト比較ステップと、
前記リスト比較ステップの処理による比較結果に基づいて、前記端末装置の接続先に関する接続先関連情報を生成する接続先関連情報生成ステップと、
前記接続先関連情報生成ステップの処理によって生成された前記接続先関連情報を、前記端末装置に送信する送信ステップと
を含む処理をコンピュータに実行させるプログラム。
【請求項１５】
無線通信装置と無線通信を行う２以上の端末装置と、前記端末装置と通信を行う情報処理装置とからなる情報処理システムにおいて、
前記端末装置は、
無線通信が可能な範囲に存在する無線通信装置をスキャンするスキャン処理部と、
前記スキャン処理部のスキャンにより検出された前記無線通信装置のリストを生成するリスト生成部と、
前記リスト生成部によって生成された前記リストを、情報処理装置に送信する送信部と、
前記リストと他の端末装置からの前記リストとの比較結果に基づいて前記情報処理装置から送信されてくる、接続先に関する接続先関連情報を受信する受信部と
を備え、
前記情報処理装置は、
無線通信装置と無線通信を行う２以上の端末装置それぞれから送信されてくる、無線通信が可能な範囲に存在する前記無線通信装置のスキャンにより検出された前記無線通信装置のリストを受信する受信部と、
前記受信部によって受信された２以上の前記端末装置からの前記リストを比較するリスト比較部と、
前記リスト比較部の比較結果に基づいて、前記端末装置の接続先に関する接続先関連情報を生成する接続先関連情報生成部と、
前記接続先関連情報生成部によって生成された前記接続先関連情報を、前記端末装置に送信する送信部と
を備える情報処理システム。
【発明の詳細な説明】
【技術分野】
【０００１】
本技術は、端末装置および通信方法、情報処理装置および方法、プログラム、並びに情報処理システムに関し、特に、低コストかつセキュアに、位置に限定したサービスを提供することができるようになる端末装置および通信方法、情報処理装置および方法、プログラム、並びに情報処理システムに関する。
【背景技術】
【０００２】
近年、スマートフォンに代表される高機能なモバイル端末の増加に伴って、サイバースペースから実空間における位置に限定したサービスが提供される機会が増加している。
【０００３】
例えば、所有する携帯端末の所在地を検知することで、実際に店舗に足を運んだ人に限定してクーポンを配信するシステムや、無線LAN（Local Area Network）システムにおいて、無線到達圏内に入ったデバイス同士のみがアイテムを交換できるゲーム等がある。また、非接触IC（Integrated Circuit）カードを用いて、学校の入門時刻および退出時刻を通学履歴として記録して、リアルタイムに保護者の携帯電話機に通知する防犯用途のサービスも開始されている。
【０００４】
実空間の位置を把握する技術としては、一般的には、GPS（Global Positioning System）によって緯度情報および経度情報を取得する技術や、無線LANアクセスポイント（以下、APという）の情報を位置情報に変換する技術がある。
【０００５】
例えば、APから、ゾーン（位置）情報が含まれる発信情報を受信したクライアント端末が、管理サーバにその位置情報を転送することによって、クライアント端末の位置に応じたアプリケーションの利用権限を管理するシステムがある（例えば、特許文献１参照）。
【０００６】
また、位置情報をGPSとAPとから取得し、その位置情報に関連付けされた情報資源へのアクセスを管理するシステムがある（例えば、特許文献２参照）。
【０００７】
さらに、取得した位置情報で表わされる位置が、予め登録された範囲内であれば接続を許可するようにした認証デバイスがある（例えば、特許文献３参照）。
【先行技術文献】
【特許文献】
【０００８】
【特許文献１】特開２００７−２１４９７８号公報
【特許文献２】特開２００４−４６６６６号公報
【特許文献３】特開２００７−５３４５４号公報
【発明の概要】
【発明が解決しようとする課題】
【０００９】
しかしながら、GPSを利用したシステムは、人工衛星を用いているため規模が大きくなり、また専用の端末を必要とするため、導入コストが高くなってしまう。また、無線LAN APを用いたシステムについては、既存のモバイル端末の多くが無線LAN通信デバイスを搭載しているので導入コストは低いが、APと位置情報とを関連付けたデータベース（DB）の構築に高いコストがかかる。
【００１０】
また、GPSやAPから取得された位置情報が詐称された場合、位置の特定が困難となる上に、セキュリティシステムに適用する場合には、位置情報を暗号化する等の特別な処理が必要となる。また、近年の携帯電話機に搭載されているGPS機能を用いた追跡処理等においては、位置情報が個人情報として利用されるので、プライバシーの侵害に配慮する必要がある。
【００１１】
本技術は、このような状況に鑑みてなされたものであり、低コストかつセキュアに、位置に限定したサービスを提供することができるようにするものである。
【課題を解決するための手段】
【００１２】
本技術の第１の側面の端末装置は、無線通信が可能な範囲に存在する無線通信装置をスキャンするスキャン処理部と、前記スキャン処理部のスキャンにより検出された前記無線通信装置のリストを生成するリスト生成部と、前記リスト生成部によって生成された前記リストを、情報処理装置に送信する送信部と、前記リストと他の端末装置からの前記リストとの比較結果に基づいて前記情報処理装置から送信されてくる、接続先に関する接続先関連情報を受信する受信部とを備える。
【００１３】
前記受信部には、前記情報処理装置から送信されてくる、所定の条件での前記無線通信装置のスキャンの要求を受信させ、前記スキャン処理部には、前記受信部によって受信された前記要求に基づいて、前記所定の条件で前記無線通信装置をスキャンさせることができる。
【００１４】
前記受信部には、前記情報処理装置から送信されてくる、所定の通信チャネルでの前記無線通信装置のスキャンの要求を受信させ、前記スキャン処理部には、前記受信部によって受信された前記要求に基づいて、前記所定の通信チャネルで前記無線通信装置をスキャンさせることができる。
【００１５】
前記受信部には、前記情報処理装置から送信されてくる、所定の通信モードでの前記無線通信装置のスキャンの要求を受信させ、前記スキャン処理部には、前記受信部によって受信された前記要求に基づいて、前記所定の通信モードで前記無線通信装置をスキャンさせることができる。
【００１６】
本技術の第１の側面の通信方法は、無線通信が可能な範囲に存在する無線通信装置をスキャンするスキャンステップと、前記スキャンステップのスキャンにより検出された前記無線通信装置のリストを生成するリスト生成ステップと、前記リスト生成ステップの処理によって生成された前記リストを、情報処理装置に送信する送信ステップと、前記リストと他の端末装置からの前記リストとの比較結果に基づいて前記情報処理装置から送信されてくる、接続先に関する接続先関連情報を受信する受信ステップとを含む。
【００１７】
本技術の第１の側面のプログラムは、無線通信が可能な範囲に存在する無線通信装置をスキャンするスキャンステップと、前記スキャンステップのスキャンにより検出された前記無線通信装置のリストを生成するリスト生成ステップと、前記リスト生成ステップの処理によって生成された前記リストを、情報処理装置に送信する送信ステップと、前記リストと他の端末装置からの前記リストとの比較結果に基づいて前記情報処理装置から送信されてくる、接続先に関する接続先関連情報を受信する受信ステップとを含む処理をコンピュータに実行させる。
【００１８】
本技術の第１の側面においては、無線通信が可能な範囲に存在する無線通信装置がスキャンされ、スキャンにより検出された無線通信装置のリストが生成され、生成されたリストが、情報処理装置に送信され、リストと他の端末装置からのリストとの比較結果に基づいて情報処理装置から送信されてくる、接続先に関する接続先関連情報が受信される。
【００１９】
本技術の第２の側面の情報処理装置は、無線通信装置と無線通信を行う２以上の端末装置それぞれから送信されてくる、無線通信が可能な範囲に存在する前記無線通信装置のスキャンにより検出された前記無線通信装置のリストを受信する受信部と、前記受信部によって受信された２以上の前記端末装置からの前記リストを比較するリスト比較部と、前記リスト比較部の比較結果に基づいて、前記端末装置の接続先に関する接続先関連情報を生成する接続先関連情報生成部と、前記接続先関連情報生成部によって生成された前記接続先関連情報を、前記端末装置に送信する送信部とを備える。
【００２０】
前記リスト比較部には、２以上の前記端末装置からの前記リストそれぞれにおいて一致する前記無線通信装置の数を比較させ、前記接続先関連情報生成部には、前記リストそれぞれにおいて一致する前記無線通信装置の数が所定数より多い場合に、前記接続先関連情報を生成させることができる。
【００２１】
前記送信部には、前記リストそれぞれにおいて一致する前記無線通信装置の数が所定数より少ない場合、所定の条件での前記無線通信装置のスキャンの要求を、前記端末装置に送信させることができる。
【００２２】
前記送信部には、前記リストそれぞれにおいて一致する前記無線通信装置の数が所定数より少ない場合、一致しない前記無線通信装置と前記端末装置との無線通信において、所定の値より高い電波強度の無線通信の通信チャネルでのスキャンの要求を、前記端末装置に送信させることができる。
【００２３】
前記送信部には、前記リストそれぞれにおいて一致する前記無線通信装置の数が所定数より少ない場合、一致しない前記無線通信装置と前記端末装置との無線通信において、所定の値より高い電波強度の無線通信の通信モードでのスキャンの要求を、前記端末装置に送信させることができる。
【００２４】
前記接続先関連情報生成部には、前記リスト比較部の比較結果に基づいて、前記端末装置についての認証を行わせ、前記接続先関連情報を生成させることができる。
【００２５】
本技術の第２の側面の情報処理方法は、無線通信装置と無線通信を行う２以上の端末装置それぞれから送信されてくる、無線通信が可能な範囲に存在する前記無線通信装置のスキャンにより検出された前記無線通信装置のリストを受信する受信ステップと、前記受信ステップの処理によって受信された２以上の前記端末装置からの前記リストを比較するリスト比較ステップと、前記リスト比較ステップの処理による比較結果に基づいて、前記端末装置の接続先に関する接続先関連情報を生成する接続先関連情報生成ステップと、前記接続先関連情報生成ステップの処理によって生成された前記接続先関連情報を、前記端末装置に送信する送信ステップとを含む。
【００２６】
本技術の第２の側面のプログラムは、無線通信装置と無線通信を行う２以上の端末装置それぞれから送信されてくる、無線通信が可能な範囲に存在する前記無線通信装置のスキャンにより検出された前記無線通信装置のリストを受信する受信ステップと、前記受信ステップの処理によって受信された２以上の前記端末装置からの前記リストを比較するリスト比較ステップと、前記リスト比較ステップの処理による比較結果に基づいて、前記端末装置の接続先に関する接続先関連情報を生成する接続先関連情報生成ステップと、前記接続先関連情報生成ステップの処理によって生成された前記接続先関連情報を、前記端末装置に送信する送信ステップとを含む処理をコンピュータに実行させる。
【００２７】
本技術の第２の側面においては、無線通信装置と無線通信を行う２以上の端末装置それぞれから送信されてくる、無線通信が可能な範囲に存在する無線通信装置のスキャンにより検出された無線通信装置のリストが受信され、受信された２以上の端末装置からのリストが比較され、比較結果に基づいて、端末装置の接続先に関する接続先関連情報が生成され、生成された接続先関連情報が、端末装置に送信される。
【００２８】
本技術の第３の側面の情報処理システムは、無線通信装置と無線通信を行う２以上の端末装置と、前記端末装置と通信を行う情報処理装置とからなる情報処理システムであって、前記端末装置が、無線通信が可能な範囲に存在する無線通信装置をスキャンするスキャン処理部と、前記スキャン処理部のスキャンにより検出された前記無線通信装置のリストを生成するリスト生成部と、前記リスト生成部によって生成された前記リストを、情報処理装置に送信する送信部と、前記リストと他の端末装置からの前記リストとの比較結果に基づいて前記情報処理装置から送信されてくる、接続先に関する接続先関連情報を受信する受信部とを備え、前記情報処理装置が、無線通信装置と無線通信を行う２以上の端末装置それぞれから送信されてくる、無線通信が可能な範囲に存在する前記無線通信装置のスキャンにより検出された前記無線通信装置のリストを受信する受信部と、前記受信部によって受信された２以上の前記端末装置からの前記リストを比較するリスト比較部と、前記リスト比較部の比較結果に基づいて、前記端末装置の接続先に関する接続先関連情報を生成する接続先関連情報生成部と、前記接続先関連情報生成部によって生成された前記接続先関連情報を、前記端末装置に送信する送信部とを備える。
【００２９】
本技術の第３の側面においては、端末装置によって、無線通信が可能な範囲に存在する無線通信装置がスキャンされ、スキャンにより検出された無線通信装置のリストが生成され、生成されたリストが、情報処理装置に送信され、リストと他の端末装置からのリストとの比較結果に基づいて情報処理装置から送信されてくる、接続先に関する接続先関連情報が受信され、情報処理装置によって、無線通信装置と無線通信を行う２以上の端末装置それぞれから送信されてくる、無線通信が可能な範囲に存在する無線通信装置のスキャンにより検出された無線通信装置のリストが受信され、受信された２以上の端末装置からのリストが比較され、比較結果に基づいて、端末装置の接続先に関する接続先関連情報が生成され、生成された接続先関連情報が、端末装置に送信される。
【発明の効果】
【００３０】
本技術の第１乃至第３の側面によれば、低コストかつセキュアに、位置に限定したサービスを提供することが可能となる。
【図面の簡単な説明】
【００３１】
【図１】本技術の一実施の形態に係る情報処理システムの構成例を示す図である。
【図２】携帯端末装置の構成例を示すブロック図である。
【図３】管理サーバの構成例を示すブロック図である。
【図４】携帯端末装置の機能構成例を示すブロック図である。
【図５】管理サーバの機能構成例を示すブロック図である。
【図６】接続認証要求処理について説明するフローチャートである。
【図７】無線LAN通信デバイスの検出方法について説明する図である。
【図８】無線LAN通信デバイスの検出方法について説明する図である。
【図９】接続認証処理について説明するフローチャートである。
【図１０】APリストの比較の例について説明するフローチャートである。
【図１１】接続認証処理の流れを説明するアローチャートである。
【図１２】接続認証処理の流れを説明するアローチャートである。
【図１３】本技術を適用したWebサイト提供システムの構成例を示す図である。
【図１４】図１３のWebサイト提供システムにおける処理の流れを説明するアローチャートである。
【図１５】本技術を適用したSNSシステムの構成例を示す図である。
【図１６】図１５のSNSシステムにおける処理の流れを説明するアローチャートである。
【図１７】本技術を適用したコンテンツ提供システムの構成例を示す図である。
【図１８】図１７のコンテンツ提供システムにおける処理の流れを説明するアローチャートである。
【発明を実施するための形態】
【００３２】
以下、本技術の実施の形態について図を参照して説明する。なお、説明は以下の順序で行う。
１．情報処理システムの構成
２．携帯端末装置のハードウェア構成
３．管理サーバのハードウェア構成
４．携帯端末装置の機能構成
５．管理サーバの機能構成
６．携帯端末装置の接続認証要求処理
７．管理サーバの接続認証処理
８．情報処理システムにおける処理の流れ
９．本技術の適用例
【００３３】
＜１．情報処理システムの構成＞
図１は、本技術の一実施の形態に係る情報処理システムの構成例を示している。
【００３４】
図１の情報処理システムは、無線LANアクセスポイント（AP）１乃至AP６、携帯端末装置１１−１乃至１１−３、および管理サーバ１２から構成される。
【００３５】
図１の情報処理システムにおいて、AP１乃至AP６は、一定間隔で、自身のアドレス（MACアドレス）や無線LAN通信に関する通信パラメータを含むビーコンパケットを、それぞれの電波到達範囲内に存在する周辺の端末にブロードキャストする。
【００３６】
携帯端末装置１１−１乃至１１−３は、無線LAN通信を行い、AP１乃至AP６からのビーコンパケットを受信することで、AP１乃至AP６の存在を認識（検出）する。携帯端末装置１１−１乃至１１−３は、検出したAP１乃至AP６のリストであるAPリストを生成し、管理サーバ１２に送信する。図１においては、携帯端末装置１１−１，１１−２は、AP４およびAP５の電波到達範囲内にあるので、AP４およびAP５のAPリストを生成し、管理サーバ１２に送信する。また、携帯端末装置１１−３は、AP３およびAP６の電波到達範囲内にあるので、AP３およびAP６のAPリストを生成し、管理サーバ１２に送信する。
【００３７】
管理サーバ１２は、携帯端末装置１１−１乃至１１−３それぞれから送信されてくるAPリストを比較することで、携帯端末装置１１−１乃至１１−３が互いに近傍に存在するか否かの判定（近傍判定）を行う。例えば、２台の携帯端末装置が、全く同じ位置に存在し、かつ、全く同一の受信特性を有する場合、その２台の携帯端末装置が検出するAPは一致する。したがって、管理サーバ１２は、携帯端末装置１１−１乃至１１−３からのAPリストにおけるAPの一致に基づいて、近傍判定を行う。すなわち、図１においては、携帯端末装置１１−１からのAPリストに含まれるAPと携帯端末装置１１−２からのAPリストに含まれるAPとが一致するので、携帯端末装置１１−１と携帯端末装置１１−２とは、近傍に存在すると判定される。また、携帯端末装置１１−１からのAPリストに含まれるAPと携帯端末装置１１−３からのAPリストに含まれるAPとは一致しないので、携帯端末装置１１−１と携帯端末装置１１−３とは、近傍に存在しないと判定される。
【００３８】
そして、管理サーバ１２は、近傍判定の結果、互いに近傍に存在すると判定された携帯端末装置１１−１，１１−２に対して、携帯端末装置１１−１，１１−２それぞれの接続先に関する情報である接続先関連情報を送信する。携帯端末装置１１−１，１１−２は、管理サーバ１２からの接続先関連情報に基づいて、所定の接続先に接続する。
【００３９】
なお、以下において、携帯端末装置１１−１乃至１１−３をそれぞれ区別する必要がない場合、単に、携帯端末装置１１と称する。また、AP１乃至AP６は、携帯端末装置１１として機能するようにもできる。
【００４０】
＜２．携帯端末装置の構成＞
次に、図２を参照して、携帯端末装置１１の構成例について説明する。
【００４１】
図２において、CPU（Central Processor Unit）３１は、ROM（Read Only Memory）３２に記憶されているプログラム、またはRAM（Random Access Memory）３３にロードされたプログラムに従って、各種の処理を実行する。RAM３３にはまた、CPU３１が各種の処理を実行する上において必要なデータなども適宜記憶される。
【００４２】
CPU３１、ROM３２、およびRAM３３は、バス３４を介して相互に接続されている。このバス３４にはまた、入出力インタフェース３５も接続されている。
【００４３】
入出力インタフェース３５には、キー、ボタン、タッチパネル、およびマイクロホンなどよりなる入力部３６、LCD（Liquid Crystal Display）、有機EL（Electro-Luminescence）などよりなるディスプレイ、およびにスピーカなどよりなる出力部３７、ハードディスクなどより構成される記憶部３８、無線通信を行うアンテナなどよりなる第１通信部３９、移動体通信網を介した通信を行うアンテナなどよりなる第２通信部４０、非接触な近接通信を行うアンテナなどよりなる第３通信部４１が接続されている。
【００４４】
第１通信部３９は、例えば、Bluetooth（登録商標）やIEEE（Institute of Electrical and Electronic Engineers）802.11x等の近距離無線通信デバイスである。ここで、近距離無線通信とは、通信可能最大距離が数メートル乃至数十メートル程度のローカルな（狭域の）無線通信を意味する。通信規格は任意である。
【００４５】
第２通信部４０は、図示せぬ無線基地局と無線通信を行い、移動体通信網を介した通信を行う無線通信デバイスである。第２通信部４０は、例えば２GHzの周波数帯を使い、通話アプリケーションだけでなく、最大２Mbpsのデータ通信を用いてインターネット接続など各種通信アプリケーションに利用される。例えば、第２通信部４０による無線通信は、コンテンツデータのダウンロードや管理サーバ１２との通信等に用いられ、移動第２通信部４０は、例えば、いわゆる第３世代（3G）携帯電話機の通信方式による3G通信が可能なデバイスなどとして構成される。
【００４６】
第３通信部４１は、NFC（Near Field Communication）デバイスである。ここで、非接触通信とは、通信可能最大距離が数十センチ程度のローカルな（狭域の）無線通信を示す。通信規格は任意である。例えば、第３通信部４１は、アンテナを経由して13.56MHz帯の周波数を使い、10cm程度の極近距離で最大424Kビット／秒の通信レートにて通信を行う。
【００４７】
入出力インタフェース３５にはまた、必要に応じてドライブ４２が接続され、半導体メモリなどよりなるリムーバブルメディア４３が適宜装着され、それらから読み出されたコンピュータプログラムが、必要に応じて記憶部３８にインストールされる。
【００４８】
＜３．管理サーバの構成＞
次に、図３を参照して、管理サーバ１２の構成例について説明する。
【００４９】
図３において、CPU５１は、ROM５２に記憶されているプログラム、またはRAM５３にロードされたプログラムに従って、各種の処理を実行する。RAM５３にはまた、CPU５１が各種の処理を実行する上において必要なデータなども適宜記憶される。
【００５０】
CPU５１、ROM５２、およびRAM５３は、バス５４を介して相互に接続されている。このバス５４にはまた、入出力インタフェース５５も接続されている。
【００５１】
入出力インタフェース３５には、キーボード、マウスなどよりなるなどよりなる入力部５６、CRT（Cathode Ray Tube）、LCDなどよりなるディスプレイ、およびスピーカなどよりなる出力部５７、ハードディスクなどより構成される記憶部５８、モデム、ターミナルアダプタなどより構成される通信部５９が接続されている。
【００５２】
通信部５９は、インターネットなどのネットワークを介しての通信処理を行う。
【００５３】
入出力インタフェース５５にはまた、必要に応じてドライブ６０が接続され、磁気ディスク、光ディスク、光磁気ディスク、或いは半導体メモリなどよりなるリムーバブルメディア６１が適宜装着され、それらから読み出されたコンピュータプログラムが、必要に応じて記憶部５８にインストールされる。
【００５４】
＜４．携帯端末装置の機能構成＞
次に、図４を参照して、携帯端末装置１１の機能構成について説明する。
【００５５】
図４の携帯端末装置１１は、スキャン処理部７１、APリスト生成部７２、送信部７３、および受信部７４から構成される。
【００５６】
スキャン処理部７１は、APをスキャンする。具体的には、スキャン処理部７１は、近距離無線通信を行い、APからのビーコンパケットを受信することで、APの存在を検出する。
【００５７】
APリスト生成部７２は、スキャン処理部７１によって検出されたAPについての情報であるAP情報のAPリストを生成する。
【００５８】
送信部７３は、APリスト生成部７２によって生成されたAPリストを、移動体通信網を介して管理サーバ１２に送信する。
【００５９】
受信部７４は、管理サーバ１２から移動体通信網を介して送信されてくる、管理サーバ１２において他の携帯端末装置１１からのAPリストとの比較の結果に応じた情報を受信する。
【００６０】
＜５．管理サーバの機能構成＞
次に、図５を参照して、管理サーバ１２の機能構成について説明する。
【００６１】
図５の管理サーバ１２は、受信部９１、APリスト比較部９２、認証処理部９３、差分APリスト生成部９４、および送信部９５から構成される。
【００６２】
受信部９１は、２以上の複数の携帯端末装置１１から移動体通信網を介して送信されてくるAPリストを受信する。
【００６３】
APリスト比較部９２は、受信部９１によって受信された、２以上の携帯端末装置１１からのAPリストを比較する。具体的には、APリスト比較部９２は、２以上の携帯端末装置１１からのAPリストにおいて、一致するAP（AP情報）の数を比較する。
【００６４】
認証処理部９３は、APリスト比較部９２によるAPリストの比較の結果、一致するAPの数が所定数より多い場合、そのAPリストの送信元である携帯端末装置１１を認証し、その携帯端末装置１１の接続先に関する接続先関連情報を生成する。
【００６５】
差分APリスト生成部９４は、APリスト比較部９２によるAPリストの比較の結果、一致するAPの数が所定数より少ない場合、それぞれのAPリストにおいて一致しないAPのリストである差分APリストを生成する。
【００６６】
送信部９５は、APリスト比較部９２によるAPリストの比較の結果、一致するAPの数が所定数より多い場合、認証処理部９３によって生成された接続先関連情報を、比較されたAPリストの送信元である携帯端末装置１１に送信する。また、送信部９５は、APリスト比較部９２によるAPリストの比較の結果、一致するAPの数が所定数より少ない場合、差分APリスト生成部９４によって生成された差分APリストに基づいた所定の条件での、APの再スキャンの要求を、携帯端末装置１１に送信する。
【００６７】
＜６．携帯端末装置の接続認証要求処理＞
次に、図６のフローチャートを参照して、携帯端末装置１１の接続認証要求処理について説明する。図６の接続認証要求処理は、入力部３６（図２）に対するユーザの操作入力によって、携帯端末装置１１の位置に限定したサービスを提供する接続先への接続の指示がされると開始される。
【００６８】
ステップＳ１１において、スキャン処理部７１は、APをスキャンする。すなわち、スキャン処理部７１は、近距離無線通信を行い、APからのビーコンパケットを受信することでAPを検出する。
【００６９】
ステップＳ１２において、APリスト生成部７２は、スキャン処理部７１によって検出されたAPのAP情報のリストであるAPリストを生成する。
【００７０】
［無線LAN通信デバイスの検出方法］
ここで、APを含む無線LAN通信デバイスの検出方法について説明する。無線LAN通信デバイスの検出方法には、パッシブスキャンによる方法とアクティブスキャンによる方法とがある。
【００７１】
図７は、パッシブスキャンによる無線LAN通信デバイスの検出方法について説明する図である。パッシブスキャンによる方法は、インフラストラクチャモードでのAPや、Wi-Fi DirectモードでのグループオーナのAPリストを生成する際に利用される。
【００７２】
図７に示されるように、携帯端末装置１１は、CH１，CH６，CH１１それぞれの通信チャネルで、一定時間受信待機し、AP１乃至AP３から送信されるビーコンパケットを受信する。図７においては、AP１乃至AP３の通信チャネルは、それぞれCH１，CH６，CH１１に固定されており、実線の矢印で示されるビーコンパケットが、携帯端末装置１１に受信される。携帯端末装置１１は、受信したビーコンパケットからMACアドレスおよびネットワーク名を抽出し、ビーコンパケットを受信した際の電波強度（RSSI（Received Signal Strength Indicator））および通信チャネルを表すチャネル番号とともに、APリストに格納する。
【００７３】
図８は、アクティブスキャンによる無線LAN通信デバイスの検出方法について説明する図である。アクティブスキャンによる方法は、Wi-Fi Direct対応デバイスを検出する際等に利用される。
【００７４】
一般的に、Wi-Fi Direct対応デバイスは、デバイス間の主従関係（クライアント／オーナ）が決定されるまでチャネルが固定されず、また、自らビーコンパケットを送信しない。そこで、図８に示されるように、携帯端末装置１１は、Wi-Fi Direct対応デバイスとしてのWi-Fi P2Pデバイス１乃至３を検出するために、CH１，CH６，CH１１それぞれの通信チャネルで、Probe Requestパケットをブロードキャストする。図８においては、そのタイミングでのWi-Fi P2Pデバイス１乃至３のチャネル番号が、それぞれCH１，CH６，CH１１とされ、実線の矢印で示されるProbe Requestパケットが、Wi-Fi P2Pデバイス１乃至３に受信される。Wi-Fi P2Pデバイス１乃至３それぞれは、Listenモードである場合に、Probe Responseパケットを携帯端末装置１１に送信する。これにより、携帯端末装置１１は、APリストとしてのP2Pデバイスリストを生成する。
【００７５】
なお、アクティブスキャンによる方法においては、検出対象のデバイス（AP）と通信チャネルが合致し、かつ、検出対象のデバイスがListenモードである場合のみに、検出対象のデバイスからの応答が得られるので、無線LAN通信デバイスの検出に要する時間は、パッシブスキャンによる方法よりも一般的に長くなる。したがって、無線LAN通信デバイスの検出方法において、アクティブスキャンによる方法はオプション扱いとされ、より詳細なAPリストが必要とされる場合に適用されるのが好ましい。
【００７６】
このようにして、APが検出され、APリストが作成される。
【００７７】
ステップＳ１３において、送信部７３は、APリスト生成部７２によって生成されたAPリストを、移動体通信網を介して管理サーバ１２に送信する。
【００７８】
ステップＳ１４において、受信部７４は、管理サーバ１２から、ステップＳ１３において送信されたAPリストと、他の携帯端末装置１１から管理サーバ１２に送信されたAPリストとの比較の結果に基づいて生成される接続先関連情報を受信したか否かを判定する。
【００７９】
ステップＳ１４において、管理サーバ１２から接続先関連情報を受信したと判定された場合、携帯端末装置１１は、その位置に限定したサービスを提供する接続先への接続ができるようになり、処理は終了する。
【００８０】
一方、ステップＳ１４において、管理サーバ１２から接続先関連情報を受信していないと判定された場合、処理はステップＳ１５に進み、受信部７４は、管理サーバ１２から、ステップＳ１３において送信されたAPリストと、他の携帯端末装置１１から管理サーバ１２に送信されたAPリストとの比較の結果に基づいて生成される、APの再スキャンの要求を受信したか否かを判定する。
【００８１】
ステップＳ１５において、管理サーバ１２から再スキャンの要求を受信したと判定された場合、処理はステップＳ１６に進み、スキャン処理部７１は、管理サーバ１２からの再スキャンの要求に含まれる、所定の条件でAPを検出する。ここで、所定の条件とは、例えば、特定の通信チャネルであったり、特定の通信モードであったりする。ステップＳ１６の後、処理はステップＳ１２に戻り、これ以降の処理が繰り返される。
【００８２】
一方、ステップＳ１５において、管理サーバ１２から再スキャンの要求を受信していないと判定された場合、処理はステップＳ１４に戻り、これ以降の処理が繰り返される。
【００８３】
以上の処理によれば、携帯端末装置１１の位置で検出されるAPのAPリストが生成されて管理サーバ１２に送信され、管理サーバ１２から送信されてくる、他の携帯端末装置１１のAPリストとの比較の結果に基づいた接続先関連情報が受信される。したがって、GPSのような大規模なシステムを用いたり、APと位置情報とを関連付けたデータベースを構築する必要がなく、また、携帯端末装置１１の位置情報を直接用いることもないので、低コストかつセキュアに、位置に限定したサービスをユーザに利用させることができるようになる。
【００８４】
＜７．管理サーバの接続認証処理＞
次に、図７のフローチャートを参照して、管理サーバ１２の接続認証処理について説明する。
【００８５】
ステップＳ１１１において、受信部９１は、２つの携帯端末装置１１から移動体通信網を介して送信されてくる、２つのAPリストを受信したか否かを判定する。
【００８６】
ステップＳ１１１の処理は、２つのAPリストを受信するまで繰り返され、２つのAPリストを受信したと判定されると、処理はステップＳ１１２に進み、APリスト比較部９２は、対向APがAPリストに存在するか否かを判定する。
【００８７】
ここで、対向APとは、受信された２つのAPリストの送信元である２つの携帯端末装置１１のうちの一方がAPとしても機能する場合の、その携帯端末装置１１を指しており、ステップＳ１１２においては、他方の携帯端末装置１１（以下、対向端末ともいう）のAPリストに、APとして機能するその携帯端末装置１１のAP情報が存在するか否かが判定される。なお、ステップＳ１１２の処理は、受信された２つのAPリストの送信元である２つの携帯端末装置１１のいずれもがAPとして機能しない場合にはスキップされるようにしてもよい。
【００８８】
ステップＳ１１２において、対向APがAPリストに存在すると判定された場合、処理はステップＳ１１３に進み、APリスト比較部９２は、２つのAPリストにおいて一致するAPの数が所定数より多いか否かを判定する。
【００８９】
ここで、図１０を参照して、APリスト比較部９２によるAPリストの比較の例について説明する。
【００９０】
図１０に示されるAPリスト１０１，１０２は、それぞれ、例えば、携帯端末装置１１−１，１１−２から送信された２つのAPリストである。図１０に示されるAPリストは、APそれぞれのAP情報としての、電波強度（RSSI）、アドレス（MACアドレス）、ネットワーク名（SSID（Service Set ID））、チャネル（通信チャネル）、およびモード（通信モード）から構成される。図１０においては、APリスト１０１は、６つのAPのAP情報から構成され、APリスト１０２は、４つのAPのAP情報から構成されている。
【００９１】
APリスト１０１とAPリスト１０２とを比較すると、ネットワーク名が“hotspot1”、“home_net”、“trial_ap”である３つのAPが、２つのAPリストにおいて一致するAPとなり、一致APリスト１０３が得られる。そして、ステップＳ１１３においては、APリスト１０１とAPリスト１０２とにおいて一致するAPの数である３が、所定数より多いか否かが判定される。
【００９２】
図９のフローチャートに戻り、ステップＳ１１３において、２つのAPリストにおいて一致するAPの数が所定数より多いと判定された場合、すなわち、２つのAPリストの送信元である２つの携帯端末装置１１が、互いに近傍に存在すると判定された場合、処理はステップＳ１１４に進む。
【００９３】
ステップＳ１１４において、認証処理部９３は、比較された２つのAPリストの送信元である２つの携帯端末装置１１のうちのいずれか一方または両方を認証し、認証した携帯端末装置１１の接続先に関する接続先関連情報を生成する。
【００９４】
ステップＳ１１５において、送信部９５は、認証処理部９３によって生成された接続先関連情報を、比較されたAPリストの送信元である携帯端末装置１１に送信する。
【００９５】
一方、ステップＳ１１３において、例えば、所定数を４とした場合、図１０の例では、APリスト１０１とAPリスト１０２とにおいて一致するAPの数である３であるので、２つのAPリストにおいて一致するAPの数は所定数より多くないと判定され、処理はステップＳ１１６に進む。また、ステップＳ１１２において、対向APがAPリストに存在しないと判定された場合にも、処理はステップＳ１１６に進む。
【００９６】
ステップＳ１１６において、差分APリスト生成部９４は、２つのAPリストにおいて一致しないAPのリストである差分APリストを生成する。図１０の例では、差分APリストは、APリスト１０１，１０２のAPから、一致APリスト１０３のAPを除いたAP（AP情報）から構成されるようになる。このとき、差分APリストにおいては、電波強度が所定の基準値（例えば、100）より小さいAPは含まれないようになされる。
【００９７】
ステップＳ１１７において、差分APリスト生成部９４は、生成した差分APリストにおけるAPの数が０であるか否かを判定する。
【００９８】
ステップＳ１１７において、差分APリストにおけるAPの数が０であると判定された場合、すなわち、２つのAPリストにおいて、対向APは存在しないが、全てのAPが一致している場合か、または、２つのAPリストにおいて、一致するAPの数は所定数より少ないが、一致しないAP全ての電波強度が所定の基準値より小さい場合、２つのAPリストの送信元である２つの携帯端末装置１１が、互いに近傍に存在すると判定され、処理はステップＳ１１４に進む。そして、２つの携帯端末装置１１のうちのいずれか一方または両方が認証され、その携帯端末装置１１の接続先に関する接続先関連情報が送信される。
【００９９】
一方、ステップＳ１１７において、差分APリストにおけるAPの数が０でないと判定された場合、処理はステップＳ１１８に進む。
【０１００】
ステップＳ１１８において、送信部９５は、差分APリスト生成部９４によって生成された差分APリストに基づいた所定の条件でのAPの再スキャンの要求を、携帯端末装置１１に送信する。具体的には、送信部９５は、APリストの送信元である携帯端末装置１１に対して、その携帯端末装置１１が送信してきたAPリストに存在せず、差分APリストに存在するAP、すなわち、電波強度が基準値以上のAPであって、対向端末のAPリストのみに存在するAPのリストである不足リストを、２つの携帯端末装置１１それぞれについて生成し、その不足リストに基づいた条件でのAPの再スキャンの要求を、携帯端末装置１１に送信する。このように、電波強度が基準値より小さいAPについては、再スキャンにおいて検出される可能性が低いので、不足リストには含まれないようにする。
【０１０１】
例えば、図１０の例では、APリスト１０１を送信した携帯端末装置１１−１については、電波強度が基準値（100）以上のAPであって、APリスト１０１には存在せず、APリスト１０２に存在するAP、すなわち、図中、APリスト１０２上で太破線で示される、ネットワーク名が“infra_net”であるAPからなる不足APリスト１０４が生成される。そして、携帯端末装置１１−１には、不足APリスト１０４のAPのチャネルCH６での再スキャンの要求が送信される。
【０１０２】
また、APリスト１０２を送信した携帯端末装置１１−２については、電波強度が基準値（100）以上のAPであって、APリスト１０２には存在せず、APリスト１０１に存在するAP、すなわち、図中、APリスト１０１上で太破線で示される、ネットワーク名が“intra_net33”および“hotspot2”であるAPからなる不足APリスト１０５が生成される。そして、携帯端末装置１１−２には、不足APリスト１０５のAPのチャネルCH１，CH１１での再スキャンの要求が送信される。
【０１０３】
なお、再スキャンの条件としては、不足リストのAPの通信チャネルに限らず、通信モードや、通信方法（BluetoothかWi-Fiか）等としてもよい。
【０１０４】
以上の処理によれば、２つの携帯端末装置１１からのAPリストが比較され、比較の結果、それぞれのAPリストにおいて一致するAPの数が多い場合には、２つの携帯端末装置１１が互いに近傍に存在すると判定されて、接続先関連情報が送信される。したがって、GPSのような大規模なシステムを用いたり、APと位置情報とを関連付けたデータベースを構築する必要がなく、また、携帯端末装置１１の位置情報を直接用いることもないので、低コストかつセキュアに、位置に限定したサービスを提供することができるようになる。
【０１０５】
特に、APと位置情報とを関連付けたデータベースを必要としないので、その導入コストに加え、メンテナンスコストも削減することができるようになる。
【０１０６】
また、近年、街中において、APの数が増加傾向にあるので、複雑な仕組みを導入することなく、端末の位置限定の精度を高めることができるようになる。また、APの数の増加に伴い、携帯端末装置１１によって生成されるAPリストも時々刻々変化するようになるので、過去のAPリストを使いまわすこと等はできず、信頼度の高い近傍判定を行うことが可能となる。
【０１０７】
なお、理想的には、２つの携帯端末装置１１が略同一の位置に存在すれば、それぞれのAPリストは完全に一致するはずであるが、実際には、それぞれの携帯端末装置１１でのAPからのビーコンパケットの受信タイミングや、装置毎の受信特性等に差があるので、それぞれのAPリストは完全に一致しないことが考えられる。
【０１０８】
そこで、上述した処理においては、それぞれのAPリストにおいて一致するAPの数が所定数より多い場合に、２つの携帯端末装置１１が互いに近傍に存在すると判定されるようにしたので、APリストの一致条件を緩和することができ、実際のシステムに適用することができるようになる。
【０１０９】
また、それぞれのAPリストにおいて一致するAPの所定数が少ない場合には、それぞれの携帯端末装置１１において検出されなかったAPを再スキャンする要求が、それぞれの携帯端末装置１１に対して送信されるようにしたので、何らかの原因で、ビーコンパケットの受信タイミングや、装置毎の受信特性等に大きな差が生じた場合であっても、再度、近傍判定の機会を与えることができるようになる。さらに、ここでは、検出すべきAPに応じた条件での再スキャンの要求が、携帯端末装置１１に対して送信されるので、携帯端末装置１１は、効率的に、APの再スキャンを行うことができるようになる。
【０１１０】
なお、以上においては、２つの携帯端末装置１１からのAPリストが比較されるものとしたが、３以上の携帯端末装置１１からのAPリストが比較されるようにしてもよい。
【０１１１】
さて、以上においては、携帯端末装置１１および管理サーバ１２それぞれにおける処理の詳細について説明したが、以下においては、携帯端末装置１１および管理サーバ１２から構成される情報処理システム全体における処理の流れについて説明する。
【０１１２】
＜８．情報処理システムにおける処理の流れ＞
図１１は、携帯端末装置１１および管理サーバ１２から構成される情報処理システムにおける処理の流れについて説明するアローチャートである。
【０１１３】
図１１の処理においては、携帯端末装置１１−１，１１−２が近傍判定され、それぞれの接続先への接続が許可されることで、携帯端末装置１１−１，１１−２の位置に限定したサービスが利用されるようになるものとする。
【０１１４】
まず、携帯端末装置１１−１は、ステップＳ２１１においてAPをスキャンし、ステップＳ２１２において、スキャンにより検出されたAPのAPリストを生成する。そして、携帯端末装置１１−１は、ステップＳ２１３において、生成したAPリストを管理サーバ１２に送信する。
【０１１５】
同様に、携帯端末装置１１−２は、ステップＳ２２１においてAPをスキャンし、ステップＳ２２２において、スキャンにより検出されたAPのAPリストを生成する。そして、携帯端末装置１１−２は、ステップＳ２２３において、生成したAPリストを管理サーバ１２に送信する。
【０１１６】
管理サーバ１２は、ステップＳ２３１において、携帯端末装置１１−１からのAPリストを受信し、ステップＳ２３２において、携帯端末装置１１−２からのAPリストを受信する。そして、管理サーバ１２は、ステップＳ２３３において、受信した２つのAPリストを比較する。
【０１１７】
ここでは、２つのAPリストの比較の結果、それぞれのAPリストにおいて一致するAPの数が所定数より多いものとすると、管理サーバ１２は、ステップＳ２３４において、携帯端末装置１１−１，１１−２それぞれを認証し、それぞれについての接続先関連情報を生成する。そして、管理サーバ１２は、ステップＳ２３５において、生成した接続先関連情報を携帯端末装置１１−２に送信し、ステップＳ２３６において、生成した接続先関連情報を携帯端末装置１１−１に送信する。
【０１１８】
携帯端末装置１１−１は、ステップＳ２１４において、管理サーバ１２からの接続先関連情報を受信し、携帯端末装置１１−２は、ステップＳ２２４において、管理サーバ１２からの接続先関連情報を受信する。
【０１１９】
以上の処理によれば、携帯端末装置１１−１，１１−２が近傍判定され、その判定結果に応じて、それぞれの接続先への接続が許可されるようになるので、携帯端末装置１１−１，１１−２それぞれのユーザは、位置に限定したサービスを利用することが可能となる。
【０１２０】
以上においては、携帯端末装置１１−１，１１−２の近傍判定の結果、それぞれの接続先への接続が許可されるものとしたが、次に、図１２のアローチャートを参照して、それぞれの接続先への接続が許可されない場合の処理の流れについて説明する。
【０１２１】
なお、図１２のアローチャートにおけるステップＳ３１１乃至Ｓ３１３、ステップＳ３２１乃至Ｓ３２３、およびステップＳ３３１乃至Ｓ３３３の処理は、図１１のアローチャートにおけるステップＳ２１１乃至Ｓ２１３、ステップＳ２２１乃至Ｓ２２３、およびステップＳ２３１乃至Ｓ２３３の処理と同様であるので、その説明は省略する。
【０１２２】
すなわち、ここでは、ステップＳ３３３における２つのAPリストの比較の結果として、それぞれのAPリストにおいて一致するAPの数が所定数より少ないものとすると、管理サーバ１２は、ステップＳ３３４において、差分APリストを生成する。そして、管理サーバ１２は、ステップＳ３３５において、差分APリスト（不足リスト）に基づいた所定の条件でのAPの再スキャン要求を携帯端末装置１１−２に送信する。また、管理サーバ１２は、ステップＳ２３６において、差分APリスト（不足リスト）に基づいた所定の条件でのAPの再スキャン要求を携帯端末装置１１−２に送信する。
【０１２３】
携帯端末装置１１−１は、ステップＳ３１４において、管理サーバ１２からの再スキャン要求を受信すると、ステップＳ３１５において、APをスキャンする。このとき、携帯端末装置１１−１は、再スキャン要求に含まれる所定の条件（通信チャネルや通信モード等）でAPをスキャンする。ステップＳ３１６において、携帯端末装置１１−１は、スキャンにより検出されたAPのAPリストを生成する。なお、ここで生成されるAPリストは、ステップＳ３１２において生成されたAPリストにおいてAP情報が追加・更新されたものとされる。そして、携帯端末装置１１−１は、ステップＳ３１７において、生成したAPリストを管理サーバ１２に送信する。
【０１２４】
一方、携帯端末装置１１−２は、ステップＳ３２４において、管理サーバ１２からの再スキャン要求を受信すると、ステップＳ３２５において、APをスキャンする。このとき、携帯端末装置１１−２は、再スキャン要求に含まれる所定の条件（通信チャネルや通信モード等）でAPをスキャンする。ステップＳ３２６において、携帯端末装置１１−２は、スキャンにより検出されたAPのAPリストを生成する。なお、ここで生成されるAPリストは、ステップＳ３２２において生成されたAPリストにおいてAP情報が追加・更新されたものとされる。そして、携帯端末装置１１−２は、ステップＳ３２７において、生成したAPリストを管理サーバ１２に送信する。
【０１２５】
管理サーバ１２は、ステップＳ３３７において、携帯端末装置１１−１からのAPリストを受信し、ステップＳ３３８において、携帯端末装置１１−２からのAPリストを受信する。その後、管理サーバ１２は、受信した２つのAPリストを比較し、以降、比較の結果に応じた処理が実行される。
【０１２６】
以上の処理によれば、携帯端末装置１１−１，１１−２が近傍判定され、何らかの原因で、ビーコンパケットの受信タイミングや、装置毎の受信特性等に大きな差が生じたことにより、それぞれの接続先への接続が許可されなかった場合でも、再度、近傍判定の機会が与えられるようになるので、実際のシステムに適用することが可能となる。また、所定の条件での再スキャン要求が、携帯端末装置１１−１，１１−２に対して送信されるので、携帯端末装置１１−１，１１−２は、効率的に、APの再スキャンを行うことができるようになる。
【０１２７】
なお、管理サーバ１２において、例えば３回等の所定の回数、携帯端末装置１１−１，１１−２の近傍判定が行われ、認証されなかった場合、携帯端末装置１１−１，１１−２は互いに近傍に存在しないものと判断され、処理を終了するようにしてもよい。
【０１２８】
＜９．本技術の適用例＞
ここで、本技術を実際のシステムに適用した適用例について説明する。
【０１２９】
［Webサイト提供システムへの適用例］
図１３は、本技術を適用したWebサイト提供システムの構成例を示す図である。
【０１３０】
図１３のWebサイト提供システムにおいて、NFC機能を備える端末１１１は、例えば映画館にある、ICタグを備えたポスター１１２とNFC通信を行うことで、その映画館にいるユーザのみがアクセス可能なサイトのURLを取得する。
【０１３１】
AP１１３は、例えばポスター１１２と同様に映画館に設置され、ポスター１１２に接続される。AP１１３は、上述した携帯端末装置１１の１つとして機能し、APをスキャンすることでAPリストを生成し、インターネットを介してWebサーバ１１５に送信する。
【０１３２】
一方、端末１１１もまた、上述した携帯端末装置１１の１つとして機能し、APをスキャンすることでAPリストを生成し、3G通信を行う無線中継局１１４を介して、Webサーバ１１５に送信する。
【０１３３】
Webサーバ１１５は、上述した管理サーバ１２として機能し、端末１１１およびAP１１３からのAPリストを比較し、その比較の結果に基づいて、接続先関連情報としてのセッションIDを発行して、端末１１１に送信する。セッションIDは、１回限り有効なキーであり、HTTP（HyperText Transfer Protocol）接続を行うときに引数設定され、ユーザの認証に用いられる。すなわち、端末１１１のユーザは、ポスター１１２からのURLに、有効なセッションIDをもってアクセスすることで、所望のサイトにログインすることができるようになる。登録APデータベース１１５ａには、例えば、ユーザの認証情報等が記憶される。
【０１３４】
［Webサイト提供システムにおける処理の流れ］
次に、図１４のアローチャートを参照して、図１３のWebサイト提供システムにおける処理の流れを説明する。
【０１３５】
図１４の処理は、例えば、ユーザによって、端末１１１がポスター１１２のICタグにかざされると開始される。
【０１３６】
ステップＳ４１１において、端末１１１は、ICタグを読み込むことで、URLを、ポスター１１２に接続されているAP１１３に認証されたことを示すAP認証フラグとともに取得する。一方、ポスター１１２は、端末１１１によってICタグが読み込まれたことを検知すると、ステップＳ４２１において、APリスト作成依頼をAP１１３に送信する。
【０１３７】
AP１１３は、ポスター１１２からのAPリスト作成依頼を受信すると、ステップＳ４３１において、AP４、AP５のAP情報からなるAPリストを作成（生成）し、ステップＳ４３２において、Webサーバ１１５に送信する。このとき、AP１１３により作成されるAPリストには、AP１１３自身のAP情報が含まれるものとするが、含まれないようにしてよい。
【０１３８】
一方、端末１１１は、ステップＳ４１２において、AP４、AP５のAP情報からなるAPリストを作成（生成）し、ステップＳ４１３において、無線中継局１１４に送信する。無線中継局１１４は、端末１１１からのAPリストを受信すると、ステップＳ４４１において、そのAPリストをWebサーバ１１５に送信する。
【０１３９】
Webサーバ１１５は、ステップＳ４５１において、端末１１１およびAP１１３からのAPリストを比較し、ステップＳ４５２において、その比較の結果に基づいた、セッションIDを端末１１１に送信する。具体的には、ステップＳ４５２において、Webサーバ１１５が、そのセッションIDを無線中継局１１４に送信し、ステップＳ４４２において、無線中継局１１４が、Webサーバ１１５からのセッションIDを、端末１１１に送信する。なお、Webサーバ１１５には、複数の端末やAPからAPリストが送信されるが、Webサーバ１１５は、時間的に近いAPリスト同士を比較するものとする。
【０１４０】
端末１１１は、Webサーバ１１５からのセッションIDを受信すると、ステップＳ４１４において、ポスター１１２から取得したURLにセッションIDを引数設定して、例えば、“http://www.abc.com/index.html?session=1232456”等のHTTPコマンド（GET）をWebサーバ１１５に送信する。具体的には、ステップＳ４１４において、端末１１１が、HTTPコマンドを無線中継局１１４に送信し、ステップＳ４４３において、無線中継局１１４が、端末１１１からのHTTPコマンドを、Webサーバ１１５に送信する。
【０１４１】
Webサーバ１１５は、端末からのHTTPコマンドを受信すると、ステップＳ４５３において、セッションIDの有効性をチェックし、セッションIDが有効であれば、特定のサイトへのログイン（リダイレクト）処理を行う。なお、ここで、セッションIDが有効でない場合、または、セッションIDがない場合には、Webサーバ１１５は、ログイン処理は行わず、他のURLのhtmlファイルを端末１１１に送信する。
【０１４２】
以上のように、本技術を、端末の位置に限定したWebサイトを提供するWebサイト提供システムに適用することができる。
【０１４３】
［SNSシステムへの適用例］
図１５は、本技術を適用したSNS（Social Network Service）システムの構成例を示す図である。
【０１４４】
図１５のSNSシステムにおいて、デバイス２１１，２１２は、NFC機能を備え、それぞれのユーザ同士がSNSにおいて友人登録を行う際に、互いにNFC通信を行う。デバイス２１１，２１２のユーザは、いずれもSNSシステムにより提供されるSNSに登録されているものとする。
【０１４５】
デバイス２１１，２１２は、それぞれ、上述した携帯端末装置１１の１つとして機能し、APをスキャンすることでAPリストを生成し、3G通信を行う無線中継局２１３を介して、SNSサーバ２１５に送信する。
【０１４６】
AP２１４もまた、上述した携帯端末装置１１の１つとして機能し、APをスキャンすることでAPリストを生成し、SNSサーバ２１５に送信する。AP２１４は、SNSサーバ２１５において、デバイスの近傍判定、すなわち、APリストの比較をより厳密に行うための特別APとして登録されており、例えば、SNSサーバ２１５からの指示に応じて、APリストを生成し、SNSサーバ２１５に送信する。
【０１４７】
SNSサーバ２１５は、上述した管理サーバ１２として機能し、デバイス２１１，２１２からのAPリストを比較し、その比較の結果に基づいて、デバイス２１１，２１２同士を友人登録して、ユーザDB２１６を更新する。ユーザDB２１６には、SNSに登録されているユーザについての種々の情報が記憶されている。また、SNSサーバ２１５は、必要に応じて、デバイス２１１，２１２からのAPリストを、AP２１４からのAPリストと比較し、デバイス２１１，２１２の近傍判定を行う。
【０１４８】
［SNSシステムにおける処理の流れ］
次に、図１６のアローチャートを参照して、図１５のSNSシステムにおける処理の流れを説明する。
【０１４９】
図１６の処理は、例えば、その場にいる２人のユーザがそれぞれSNSにログインした状態で、デバイス２１１とデバイス２１２とが近接されると開始される。
【０１５０】
ステップＳ５１１において、デバイス２１１は、NFC通信を行い、自身のメールアドレスとともに、相手を認証したことを示すAP認証フラグを、デバイス２１２に送信する。一方、ステップＳ５２１において、デバイス２１２は、NFC通信を行い、自身のメールアドレスとともに、相手を認証したことを示すAP認証フラグを、デバイス２１１に送信する
【０１５１】
デバイス２１１は、デバイス２１２とのNFC通信を終えると、ステップＳ５１２において、AP４、AP５、AP２１４のAP情報からなるAPリストを作成（生成）し、ステップＳ５１３において、SNSに登録されているユーザを特定するユーザIDとともに、無線中継局２１３に送信する。無線中継局２１３は、デバイス２１１からのAPリストおよびユーザIDを受信すると、ステップＳ５３１において、そのAPリストおよびユーザIDをSNSサーバ２１５に送信する。
【０１５２】
デバイス２１２は、デバイス２１１とのNFC通信を終えると、ステップＳ５２２において、AP４、AP５、AP２１４のAP情報からなるAPリストを作成（生成）し、ステップＳ５２３において、SNSに登録されているユーザを特定するユーザIDとともに、無線中継局２１３に送信する。無線中継局２１３は、デバイス２１２からのAPリストおよびユーザIDを受信すると、ステップＳ５３２において、そのAPリストおよびユーザIDをSNSサーバ２１５に送信する。
【０１５３】
SNSサーバ２１５は、デバイス２１１，２１２からAPリストおよびユーザIDを受信すると、それぞれのAPリストにAP２１４が存在するか否かを判定し、AP２１４が存在する場合には、AP２１４に対して、APリストの作成を指示する。ここでは、デバイス２１１，２１２からのAPリストにAP２１４が存在するので、AP２１４は、ステップＳ５４１において、AP４、AP５のAP情報からなるAPリストを作成し、ステップＳ５４２において、SNSサーバ２１５に送信する。
【０１５４】
SNSサーバ２１５は、AP２１４からのAPリストを受信すると、ステップＳ５５１において、デバイス２１１，２１２からAPリスト、および、AP２１４からのAPリストをそれぞれ比較し、ステップＳ５５２において、それぞれのAPリストにおいて一致するAPが所定数より多ければ、デバイス２１１，２１２のユーザ同士の友人登録を許可する。このとき、SNSサーバ２１５は、デバイス２１１，２１２のユーザのユーザIDを、互いのユーザが参加するコミュニティサイト上の友人リストに追加するように、ユーザDB２１６を更新する。また、このとき、SNSサーバ２１５は、デバイス２１１，２１２それぞれに対して、互いのユーザが参加するコミュニティサイトにアクセスするためのURLを、接続先関連情報として送信するようにしてもよい。
【０１５５】
以上のように、本技術を、デバイスの位置に限定したコミュニケーションを提供するSNSシステムに適用することができる。
【０１５６】
特に、以上においては、デバイス２１１，２１２の近傍判定において、デバイス２１１，２１２のAPリスト同士の比較に加え、AP２１４のAPリストとの比較を行うようにしたので、AP２１４が、デバイス２１１，２１２の位置の正当性を保証する第３者の役割を果たし、デバイス２１１，２１２それぞれのユーザによるAPリストの詐称（ユーザの成りすまし）のリスクを抑えることができるようになる。上述したSNSシステムを、例えば小学校に導入し、AP２１４を校舎内に設置することで、児童同士が、校内のみで友人登録をすることができるようになる校内専用のSNSシステムを提供することが可能となる。
【０１５７】
なお、図１６の処理は、デバイス２１１とデバイス２１２とが近接されると開始されるものとしたが、デバイス２１１，２１２それぞれにおいて、所定のボタンが押下されることで開始されるようにしてもよい。
【０１５８】
［コンテンツ提供ステムへの適用例］
図１７は、本技術を適用したコンテンツ提供システムの構成例を示す図である。
【０１５９】
図１７のコンテンツ提供システムにおいて、無線LAN通信機能を備える端末３１１は、上述した携帯端末装置１１の１つとして機能する。端末３１１は、ユーザの操作によって、例えば店舗にあるホットスポットにおいて無線LAN接続を行う旨の指示がされると、APをスキャンすることでAPリストを生成し、3G通信を行う中継局３１２を介して、Radiusサーバ３１３に送信する。
【０１６０】
Radius（Remote Authentication Dial In User Service）サーバ３１３は、端末３１１からのAPリストにおいて、登録APデータベース３１３ａで管理されている管理対象APが存在するか否かを判定し、管理対象APが存在した場合、その管理対象APに対してAPリスト要求のコマンドを送信する。Radiusサーバ３１３は、管理対象APを介して、所定のコンテンツを提供することができる。
【０１６１】
また、Radiusサーバ３１３は、上述した管理サーバ１２として機能し、管理対象APからAPリストが送信されてくると、端末３１１および管理対象APからのAPリストを比較し、その比較の結果に基づいて、接続先関連情報としての管理対象APのアドレスと、端末３１１が無線LAN接続を行うための一時鍵とを、端末３１１に送信する。
【０１６２】
AP３１４は、Radiusサーバ３１３によって管理されている管理対象APの１つであるとともに、上述した携帯端末装置１１の１つとして機能し、Radiusサーバ３１３からのAPリスト要求のコマンドに応じて、APをスキャンすることでAPリストを生成し、Radiusサーバ３１３に送信する。
【０１６３】
［コンテンツ提供システムにおける処理の流れ］
次に、図１８のアローチャートを参照して、図１７のコンテンツ提供システムにおける処理の流れを説明する。
【０１６４】
図１８の処理は、例えば、端末３１１に対して、ユーザの操作によって、店舗や地域に限定された音楽や著作権物等のコンテンツへのアクセスするために、その店舗にあるホットスポットにおいて、AP３１４への無線LAN接続を行う旨の指示がされると開始される。
【０１６５】
ステップＳ６１１において、端末３１１は、AP４、AP５、AP３１４のAP情報からなるAPリストを作成（生成）し、ステップＳ６１２において、中継局３１２に送信する。中継局３１２は、端末３１１からのAPリストを受信すると、ステップＳ６２１において、そのAPリストをRadiusサーバ３１３に送信する。
【０１６６】
Radiusサーバ３１３は、端末３１１からのAPリストを受信すると、ステップＳ６３１において、端末３１１からのAPリストにおいて、無線LAN接続の接続先APであって、管理対象APであるAP３１４を検索する。
【０１６７】
ここでは、端末３１１からのAPリストに存在するAPは、AP４、AP５、AP３１４であるので、Radiusサーバ３１３は、ステップＳ６３２において、管理対象APであるAP３１４に対してAPリスト要求のコマンドを送信する。
【０１６８】
AP３１４は、Radiusサーバ３１３からのコマンドを受信すると、ステップＳ６４１において、AP４、AP５のAP情報からなるAPリストを作成（生成）し、ステップＳ６４２において、Radiusサーバ３１３に送信する。
【０１６９】
Radiusサーバ３１３は、AP３１４からのAPリストを受信すると、ステップＳ６３３において、端末３１１およびAP３１４からのAPリストを比較し、ステップＳ６３４において、その比較の結果に基づいて、そのAP３１４のアドレスと、端末３１１が無線LAN接続を行うための一時鍵を端末３１１に送信する。具体的には、ステップＳ６３４において、Radiusサーバ３１３が、AP３１４のアドレスおよび一時鍵を中継局３１２に送信し、ステップＳ６２２において、中継局３１２が、Radiusサーバ３１３からのAP３１４のアドレスおよび一時鍵を端末３１１に送信する。
【０１７０】
端末３１１は、Radiusサーバ３１３からのAP３１４のアドレスおよび一時鍵を受信すると、ステップＳ６１３において、そのAP３１４のアドレスおよび一時鍵を用いて、AP３１４に無線LAN接続（Wi-Fi接続）する。AP３１４は、端末３１１と接続されると、ステップＳ６４３において、Radiusサーバ３１３に対して、端末３１１の認証処理を要求する。そして、Radiusサーバ３１３によって端末３１１の認証処理が行われると、端末３１１は、無線LAN接続を行っているAP３１４を介して、店舗や地域に限定されたコンテンツへアクセスすることができるようになる。
【０１７１】
以上のように、本技術を、端末の位置に限定したコンテンツを提供するコンテンツ提供システムに適用することができる。
【０１７２】
上述した一連の処理をソフトウェアにより実行させる場合には、そのソフトウェアを構成するプログラムが、インターネットなどのネットワークや、リムーバブルメディアなどからなる記録媒体からインストールされる。
【０１７３】
なお、本明細書において上述した一連の処理は、記載された順序に沿って時系列的に行われる処理はもちろん、必ずしも時系列的に処理されなくとも、並列的あるいは個別に実行される処理をも含むものである。
【０１７４】
また、本技術の実施の形態は、上述した実施の形態に限定されるものではなく、本技術の要旨を逸脱しない範囲において種々の変更が可能である。
【０１７５】
さらに、本技術は以下のような構成をとることができる。
（１）  無線通信が可能な範囲に存在する無線通信装置をスキャンするスキャン処理部と、
前記スキャン処理部のスキャンにより検出された前記無線通信装置のリストを生成するリスト生成部と、
前記リスト生成部によって生成された前記リストを、情報処理装置に送信する送信部と、
前記リストと他の端末装置からの前記リストとの比較結果に基づいて前記情報処理装置から送信されてくる、接続先に関する接続先関連情報を受信する受信部と
を備える端末装置。
（２）  前記受信部は、前記情報処理装置から送信されてくる、所定の条件での前記無線通信装置のスキャンの要求を受信し、
前記スキャン処理部は、前記受信部によって受信された前記要求に基づいて、前記所定の条件で前記無線通信装置をスキャンする
（１）に記載の端末装置。
（３）  前記受信部は、前記情報処理装置から送信されてくる、所定の通信チャネルでの前記無線通信装置のスキャンの要求を受信し、
前記スキャン処理部は、前記受信部によって受信された前記要求に基づいて、前記所定の通信チャネルで前記無線通信装置をスキャンする
（２）に記載の端末装置。
（４）  前記受信部は、前記情報処理装置から送信されてくる、所定の通信モードでの前記無線通信装置のスキャンの要求を受信し、
前記スキャン処理部は、前記受信部によって受信された前記要求に基づいて、前記所定の通信モードで前記無線通信装置をスキャンする
（２）に記載の端末装置。
（５）  無線通信が可能な範囲に存在する無線通信装置をスキャンするスキャンステップと、
前記スキャンステップのスキャンにより検出された前記無線通信装置のリストを生成するリスト生成ステップと、
前記リスト生成ステップの処理によって生成された前記リストを、情報処理装置に送信する送信ステップと、
前記リストと他の端末装置からの前記リストとの比較結果に基づいて前記情報処理装置から送信されてくる、接続先に関する接続先関連情報を受信する受信ステップと
を含む通信方法。
（６）  無線通信が可能な範囲に存在する無線通信装置をスキャンするスキャンステップと、
前記スキャンステップのスキャンにより検出された前記無線通信装置のリストを生成するリスト生成ステップと、
前記リスト生成ステップの処理によって生成された前記リストを、情報処理装置に送信する送信ステップと、
前記リストと他の端末装置からの前記リストとの比較結果に基づいて前記情報処理装置から送信されてくる、接続先に関する接続先関連情報を受信する受信ステップと
を含む処理をコンピュータに実行させるプログラム。
（７）  無線通信装置と無線通信を行う２以上の端末装置それぞれから送信されてくる、無線通信が可能な範囲に存在する前記無線通信装置のスキャンにより検出された前記無線通信装置のリストを受信する受信部と、
前記受信部によって受信された２以上の前記端末装置からの前記リストを比較するリスト比較部と、
前記リスト比較部の比較結果に基づいて、前記端末装置の接続先に関する接続先関連情報を生成する接続先関連情報生成部と、
前記接続先関連情報生成部によって生成された前記接続先関連情報を、前記端末装置に送信する送信部と
を備える情報処理装置。
（８）  前記リスト比較部は、２以上の前記端末装置からの前記リストそれぞれにおいて一致する前記無線通信装置の数を比較し、
前記接続先関連情報生成部は、前記リストそれぞれにおいて一致する前記無線通信装置の数が所定数より多い場合に、前記接続先関連情報を生成する
（７）に記載の情報処理装置。
（９）  前記送信部は、前記リストそれぞれにおいて一致する前記無線通信装置の数が所定数より少ない場合、所定の条件での前記無線通信装置のスキャンの要求を、前記端末装置に送信する
（８）に記載の情報処理装置。
（１０）  前記送信部は、前記リストそれぞれにおいて一致する前記無線通信装置の数が所定数より少ない場合、一致しない前記無線通信装置と前記端末装置との無線通信において、所定の値より高い電波強度の無線通信の通信チャネルでのスキャンの要求を、前記端末装置に送信する
（９）に記載の情報処理装置。
（１１）  前記送信部は、前記リストそれぞれにおいて一致する前記無線通信装置の数が所定数より少ない場合、一致しない前記無線通信装置と前記端末装置との無線通信において、所定の値より高い電波強度の無線通信の通信モードでのスキャンの要求を、前記端末装置に送信する
（９）に記載の情報処理装置。
（１２）  前記接続先関連情報生成部は、前記リスト比較部の比較結果に基づいて、前記端末装置についての認証を行い、前記接続先関連情報を生成する
（７）乃至（１１）のいずれかに記載の情報処理装置。
（１３）  無線通信装置と無線通信を行う２以上の端末装置それぞれから送信されてくる、無線通信が可能な範囲に存在する前記無線通信装置のスキャンにより検出された前記無線通信装置のリストを受信する受信ステップと、
前記受信ステップの処理によって受信された２以上の前記端末装置からの前記リストを比較するリスト比較ステップと、
前記リスト比較ステップの処理による比較結果に基づいて、前記端末装置の接続先に関する接続先関連情報を生成する接続先関連情報生成ステップと、
前記接続先関連情報生成ステップの処理によって生成された前記接続先関連情報を、前記端末装置に送信する送信ステップと
を含む情報処理方法。
（１４）  無線通信装置と無線通信を行う２以上の端末装置それぞれから送信されてくる、無線通信が可能な範囲に存在する前記無線通信装置のスキャンにより検出された前記無線通信装置のリストを受信する受信ステップと、
前記受信ステップの処理によって受信された２以上の前記端末装置からの前記リストを比較するリスト比較ステップと、
前記リスト比較ステップの処理による比較結果に基づいて、前記端末装置の接続先に関する接続先関連情報を生成する接続先関連情報生成ステップと、
前記接続先関連情報生成ステップの処理によって生成された前記接続先関連情報を、前記端末装置に送信する送信ステップと
を含む処理をコンピュータに実行させるプログラム。
（１５）  無線通信装置と無線通信を行う２以上の端末装置と、前記端末装置と通信を行う情報処理装置とからなる情報処理システムにおいて、
前記端末装置は、
無線通信が可能な範囲に存在する無線通信装置をスキャンするスキャン処理部と、
前記スキャン処理部のスキャンにより検出された前記無線通信装置のリストを生成するリスト生成部と、
前記リスト生成部によって生成された前記リストを、情報処理装置に送信する送信部と、
前記リストと他の端末装置からの前記リストとの比較結果に基づいて前記情報処理装置から送信されてくる、接続先に関する接続先関連情報を受信する受信部と
を備え、
前記情報処理装置は、
無線通信装置と無線通信を行う２以上の端末装置それぞれから送信されてくる、無線通信が可能な範囲に存在する前記無線通信装置のスキャンにより検出された前記無線通信装置のリストを受信する受信部と、
前記受信部によって受信された２以上の前記端末装置からの前記リストを比較するリスト比較部と、
前記リスト比較部の比較結果に基づいて、前記端末装置の接続先に関する接続先関連情報を生成する接続先関連情報生成部と、
前記接続先関連情報生成部によって生成された前記接続先関連情報を、前記端末装置に送信する送信部と
を備える情報処理システム。
【符号の説明】
【０１７６】
１１  携帯端末装置，  １２  管理サーバ，  ７１  スキャン処理部，  ７２  APリスト生成部，  ７３  送信部，  ７４  受信部，  ９１  受信部，  ９２  APリスト比較部，  ９３  認証処理部，  ９４  差分APリスト生成部，  ９５  送信部
【図１】
2012209898.tif 000003
【図２】
2012209898.tif 000004
【図３】
2012209898.tif 000005
【図４】
2012209898.tif 000006
【図５】
2012209898.tif 000007
【図６】
2012209898.tif 000008
【図７】
2012209898.tif 000009
【図８】
2012209898.tif 000010
【図９】
2012209898.tif 000011
【図１０】
2012209898.tif 000012
【図１１】
2012209898.tif 000013
【図１２】
2012209898.tif 000014
【図１３】
2012209898.tif 000015
【図１４】
2012209898.tif 000016
【図１５】
2012209898.tif 000017
【図１６】
2012209898.tif 000018
【図１７】
2012209898.tif 000019
【図１８】
2012209898.tif 000020